(57)【要約】      （修正有）【課題】記憶装置を接続する装置において、装置に対する記録装置の着脱作業を効率よくかつ確実に行うことができる接続装置を提供する。【解決手段】接続装置１の本体１１には、第１受け側接続部を備えた記録装置を収容する複数の第１収容部３１a、３１b、３１cが設けられ、第１収容部上には、第２受け側接続部を備えた複数の第２収容部２１a、２１b、２１cを載置する上部基台２が支持されている。上部基台は、支持支点を中心として揺動可能に支持され、第１収容部に平行に支持された接続時姿勢と、支持支点を中心として上方に傾斜して支持された交換時姿勢とに変更可能となっている。【選択図】図１
2007048415.tif 000002
【特許請求の範囲】
【請求項１】
本体に設けられ、記録装置を収容する複数の第１収容部と、
前記第１収容部毎に設けられ、接続端子を有する記録装置側接続部に、接続される第１受け側接続部と、
前記第１収容部上に設けられ、記録装置を収容する複数の第２収容部を載置する上部基台と、
前記第２収容部毎に設けられ、接続端子を有する記録装置側接続部に接続される第２受け側接続部と、
前記本体に設けられ、前記上部基台の前記第２受け側接続部側に設けられた支持支点とを備え、
前記上部基台は、前記支持支点を中心として揺動可能に支持され、前記第１収容部に平行に支持された接続時姿勢と、支持支点を中心として上方に傾斜して支持された交換時姿勢とに変更可能となっていることを特徴する記録装置の接続装置。
【請求項２】
前記複数の第１収容部を複数載置した下部基台と、
前記第１受け側接続部は、前記本体側において、各第１収容部に対応する位置に配置され、
前記下部基台は、前記本体に対して、前記第１受け側接続部と記録装置側接続部とが接続された接続位置と、前記第１受け側接続部から記録装置側接続部が引き抜かれた離脱位置との間で、往復移動可能に支持されている請求項１に記載の記録装置の接続装置。
【請求項３】
前記第２受け側接続部の近傍に配置された係合部材と、
前記係合部材に接続され、前記係合部材を、前記第２受け側接続部から記録装置側接続部を引き離す方向へ押し出すレバー部材と、
前記係合部材の移動方向に移動しつつ、前記第２受け側接続部から外された記録装置を受ける受け部材とを有する請求項１又は２に記載の記録装置の接続装置。
【請求項４】
前記第１受け側接続部に記録装置側接続部を接続させる際の接続方向に対して、これに交差する方向に移動可能な状態で前記第１受け側接続部が保持される保持部材と、
前記保持部材と前記第１受け側接続部との間に介挿された弾性体と、
一方の接続部の有する接続口に、他方の接続部が有する挿入片を挿入することによって、接続が行われる接続構造を有し、
接続口又は挿入片は、接続挿入時に接続位置へ向けて第１受け側接続部が移動するように案内する案内面を有する請求項１〜３のいずれか１に記載の記録装置の接続装置。
【発明の詳細な説明】
【技術分野】
【０００１】
本発明は、多数の記録装置に情報を記録する装置にかかり、詳しくは、多数の記録装置を接続する接続装置に関するものである。
【背景技術】
【０００２】
パーソナルコンピュータ等の記録装置が内蔵されている製品を大量に製造するには、オペレーションシステム等の基本ソフトウエアーを、各製品の記録装置に記録する必要がある。従来では、ハードディスクドライブ装置に代表される記録装置に対して、複写元のハードディスクドライブ装置に必要な情報を記録しておき、該複写元ハードディスクドライブ装置から、複数の複写先ハードディスクドライブ装置へ情報をコピーする作業が行われていた。このコピー作業には、複数の複写先ハードディスクドライブ装置を接続する接続装置が用いられ、この接続装置は、端子の機械的な位置が同じ複写先ハードディスクドライブ装置を複数接続することができるように構成されていた。
【特許文献１】特開平10-074384号。
【発明の開示】
【発明が解決しようとする課題】
【０００３】
しかし、近年のハードディスクドライブ装置は、機種に応じて、電源端子の機械的な位置が微妙に異なる。このため、ハードディスクドライブ装置を交換する度に、ハードディスクドライブ装置を収容する収容部に対する接続端子の位置を変更する必要が生じ、作業工程が煩雑となるといった問題があった。この問題は、信号端子についても同様に生じでいた。
【０００４】
特に、位置調整が、１ｍｍ前後の場合には、かえって位置調整が難しく微妙な距離を位置調整するために、作業時間が掛かるといった問題があった。
【０００５】
また、複写するハードディスクドライブ装置が多数である場合には、これらを多数配置するためのスペースが必要となり、大量のハードディスクドライブ装置に複写を行うためのスペースを確保する必要がある。また、記録装置の接続装置に接続されているハードディスクドライブ装置を交換する作業も迅速かつ確実に行う必要がある。
【０００６】
この発明は、記憶装置を接続する装置において、装置に対する記録装置の着脱作業を効率よくかつ確実に行うことができる接続装置を提供することを目的とする。
【課題を解決するための手段】
【０００７】
以上のような問題を解決する本発明は、以下のような構成を有する。
【０００８】
（１）  本体に設けられ、記録装置を収容する複数の第１収容部と、
前記第１収容部毎に設けられ、接続端子を有する記録装置側接続部に、接続される第１受け側接続部と、
前記第１収容部上に設けられ、記録装置を収容する複数の第２収容部を載置する上部基台と、
前記第２収容部毎に設けられ、接続端子を有する記録装置側接続部に接続される第２受け側接続部と、
前記本体に設けられ、前記上部基台の前記第２受け側接続部側に設けられた支持支点とを備え、
前記上部基台は、前記支持支点を中心として揺動可能に支持され、前記第１収容部に平行に支持された接続時姿勢と、支持支点を中心として上方に傾斜して支持された交換時姿勢とに変更可能となっていることを特徴する記録装置の接続装置。
【０００９】
（２）  前記複数の第１収容部を複数載置した下部基台と、
前記第１受け側接続部は、前記本体側において、各第１収容部に対応する位置に配置され、
前記下部基台は、前記本体に対して、前記第１受け側接続部と記録装置側接続部とが接続された接続位置と、前記第１受け側接続部から記録装置側接続部が引き抜かれた離脱位置との間で、往復移動可能に支持されている上記（１）に記載の記録装置の接続装置。
【００１０】
（３）  前記第２受け側接続部の近傍に配置された係合部材と、
前記係合部材に接続され、前記係合部材を、前記第２受け側接続部から記録装置側接続部を引き離す方向へ押し出すレバー部材と、
前記係合部材の移動方向に移動しつつ、前記第２受け側接続部から外された記録装置を受ける受け部材とを有する上記（１）又は（２）に記載の記録装置の接続装置。
【００１１】
（４）  前記第１受け側接続部に記録装置側接続部を接続させる際の接続方向に対して、これに交差する方向に移動可能な状態で前記第１受け側接続部が保持される保持部材と、
前記保持部材と前記第１受け側接続部との間に介挿された弾性体と、
一方の接続部の有する接続口に、他方の接続部が有する挿入片を挿入することによって、接続が行われる接続構造を有し、
接続口又は挿入片は、接続挿入時に接続位置へ向けて第１受け側接続部が移動するように案内する案内面を有する上記（１）〜（３）のいずれか１に記載の記録装置の接続装置。
【発明の効果】
【００１２】
請求項１に記載の本発明によれば、上部基台は、揺動可能に支持され、接続時姿勢では、上下２段に記録装置を配置することができるので、設置スペースを小さくできるといった効果がある。また、第１収容部内の記録装置を交換する際には、上部基台を上方に傾斜させることで、交換作業のためのスペースを広くすることができ、交換作業の効率を上げることができる。
【００１３】
請求項２に記載の本発明によれば、下部基台を移動させることで、一括して複数の記録装置を接続させ、又は接続を解除させることができ、作業効率が向上する。
【００１４】
請求項３に記載の本発明によれば、記録装置を係合部材によって取り外した際、記録装置の収容部からの離脱を受け部材により防止される。また、受け部材が係合部材の移動方向に移動しつつ、記録装置を受け止めるために、受け止めた際の衝撃も緩和される。
【００１５】
請求項４に記載の本発明によれば、記録装置を収容部に接続する際に、受け側接続部が、記録装置側接続部の位置に合わせて移動するので、受け側接続部の微小な位置調整が不要となり、作業効率が向上する。
【発明を実施するための最良の形態】
【００１６】
以下、本発明の好適実施形態について詳細に説明する。図１は、本発明の記録装置の接続装置１を示す全体斜視図、図２は同じく全体側面図である。
【００１７】
接続装置１は、本体１１と、本体１１において上下２段に保持された下部基台である第１トレー３と、上部基台である第２トレー２を有する。上段の第２トレー２は、記録装置であるハードディスクドライブ装置Ｈを収容する３つの第２収容部２１ａ、２１ｂ、２１ｃを有し、各第２収容部２１ａ、２１ｂ、２１ｃは、左右方向（図２中、Ｚ軸方向）に配列されている。
【００１８】
また、下段の１トレー３は、記録装置であるハードディスクドライブ装置Ｈを収容する３つの第１収容部３１ａ、３１ｂ、３１ｃを有し、各第１収容部３１ａ、３１ｂ、３１ｃは、左右方向（図２中、Ｚ軸方向）に配列されている。
【００１９】
一方本体１１は、左右の側板４１、４２を有し、側板４１、４２の背面側には、背面板４３が架設されており、左右の側板４１、４２の下端片には、底板４４が架設され、全体として箱型の本体１１が形成されている。また、側板４１、４２の間には、背面板４３の正面側において、第１トレー３に対向する位置に取付板４６が架設されている。
【００２０】
第２トレー２は、板状のトレー本体２２が、側板４１、４２の間において、支持支点としての支持軸２２１、２２１において、上下揺動自在に支持されている。また、板状のトレー本体２２は、側板４１、４２の内側に固定された当接部材４５によって、下側から支持され、作動状態では水平となる（接続時姿勢）ように構成されている。側板４２には、第２トレー２を上方へ傾斜させた状態で固定するロック機構５が設けられている。ロック機構５は、先端に爪５１１を有するロック部材５１と、ロック部材５１を揺動自在に支持するカバー５２と、ロック部材５１の先端を第２トレー２の方向へ付勢する付勢機構５３とを備えている。爪５１１は、側板４２に形成され孔５４を介して、側板４２の内側に突出できる構成となっている。
【００２１】
第２トレー２を上方へ傾斜させ、所定角度以上とすると、図２中想像線で示されているように、爪５１１が第２トレー２の下側に突出し、傾斜した状態（交換時姿勢）で、爪５１１が第２トレー２を下側から支える構成となっている。
【００２２】
第２トレー２上には、既述の通り、第２第２収容部２１ａ、２１ｂ、２１ｃが設けられている。これらの第２第２収容部２１ａ、２１ｂ、２１ｃの構成は、それぞれ同じなので、中央の第２収容部２１ｂについて説明し、他の第２収容部２１ａ、２１ｃの説明は省略する。
【００２３】
図３は、第２収容部２１ｂの部分拡大斜視図である。第２収容部２１ｂは、収容するハードディスクドライブ装置Ｈの幅に合わせて配置されたＬ字断面のレール２２１、２２２を有している。レール２２１、２２２において、相互に対向する側に設けられた支持面には、導電性を有する弾性材２２３が設けられ、ハードディスクドライブ装置Ｈに蓄えられている静電気が、弾性材２２３を伝って接続装置１側へ流れるように構成されている。また、この弾性材が、ハードディスクドライブ装置Ｈの駆動状態における振動を吸収する。
【００２４】
ハードディスクドライブ装置Hは、レール２２１、２２２の間に収容され、これらのレール２２１、２２２に案内されて、スライド可能に保持される。そして、レール２２１、２２２によって案内されるハードディスクドライブ装置Hの移動方向には、ハードディスクドライブ装置Hの端面に対向する位置に、信号端子を備える接続部２４と、第２受け側としての接続部２３設けられている。接続部２３は、電源端子を備える接続部である。接続部２３は、ハードディスクドライブ装置Hの電源接続口Ｈｓに対向する位置に、接続部２４は、信号接続口に対向する位置にそれぞれ設けられている。
【００２５】
図４は、接続部２３の支持構造を示す分解斜視図、図５は、第２収容部２１ｂの側面である。接続部２３は、本体１１側に支持された直方体形状であり、第２収容部２１ｂへ向けて突出した挿入片２３１を有する。接続部２３は、本体１１側の長孔２３３、２３３を挿通するネジ２３４、２３４によって、保持部材としての支持板２３２に取り付けられている。接続部２３は、長孔２３３、２３３の形成されている範囲内で移動可能に構成される。そして、長孔２３３、２３３の間には、弾性部材２３５が固定され、２つのネジ２３４、２３４の間に位置し、各ネジ２３４、２３４に弾性部材２３５の端部が接触した構成となっている。弾性部材２３５は、長孔２３３、２３３の中心（基準位置）にネジ２３４、２３４が位置するように、ネジ２３４、２３４を付勢する。そして、接続部２３が長孔２３３、２３３に沿って移動すると、ネジ２３４、２３４を基準位置に戻るように付勢力を働かせる。
【００２６】
図９（ａ）に示されているように、ハードディスクドライブ装置Ｈの接続部Ｈｓを第２収容部２１ｂ側の接続部２３へ（Ｙ軸負方向）押し込むと、接続部相互の接触時に、電源端子Ｈｔの先端の丸みや、挿入片２３１と接続口Ｈｓｉ間のテーパーなどによって、接続部２３は接続可能な位置へ移動するようにＺ軸方向に案内され、図９（ｂ）に示されているように、電源端子Ｈｔは挿入片２３１の端子孔２３ｔ内に納まり、接続が完了する。このように、ハードディスクドライブ装置Ｈの接続部Ｈｓと、第２収容部２１ｂ側の接続部２３の位置が、多少異なっていても、接続部２３側が位置調整され、接続に適した位置に移動される。これにより、接続部２３の微小な位置調整する手間が省けるため、作業効率が向上する。
【００２７】
一方、接続部２４は、基板２４１に固定されており、基板２４１は、移動部材４３１に固定されている。移動部材４３１は、背面板４３に対して移動可能に構成され、締着ネジ４３２によって締着固定される構成となっている。他の第２収容部２１ａ、２１ｃに設けられた各接続部２４も、同一の移動部材４３１に固定されており、３つの接続部２４の位置を同時に調整することができ、同時に固定することができる構成となっている。
【００２８】
第２収容部２１bには、接続部２４に接続されたハードディスクドライブ装置Ｈを外すための離脱機構６が設けられている。離脱機構６は、離脱部材６１と、第２トレー２の下側に設けられた連結枠６０と、連結枠６０の正面側に揺動自在に接続されたストッパー部材６２と、第２トレー２の底面と連結枠６０の間に架設されスプリング６３と、連結枠６０を正面方向（Ｙ軸正方向）へ引き出すレバー６４とを備えている。
【００２９】
係合部材としての離脱部材６１は、各第２収容部２１毎に設けられて、その基端は、１つの連結枠６０に固定されている。また、離脱部材６１の先端は、接続部２４に近接した位置に設けられ、ハードディスクドライブ装置Ｈの端面に接触する押接部６１１が屈曲形成されている。押接部６１１がハードディスクドライブ装置Ｈを離脱方向に押すことによって、接続部２３とハードディスクドライブ装置Ｈの接続口Ｈｓとの接続が解除される。
【００３０】
受け部材としてのストッパー部材６２は、基端がヒンジ６２１を介して連結枠６０に接続され、先端には、上方に屈曲して形成された受け部６２２が設けられている。受け部６２２の第２収容部２１側には、緩衝材が固定されている。また、ストッパー部材６２の下側には、傾斜面６３が設けられ、その下側に設けられた傾斜面６４と接触することによって、ストッパー部材６２は、正面方向（Ｙ軸正方向）へ移動すると同時に、上方（Ｘ軸正方向）へ揺動する構成となっている。
【００３１】
連結枠６０には、レバー部材であるレバー６４が接続されている。レバー６４は、レバー６４一端の摘み６４１を手前に引くことにより、他端のローラ６４２か支点として作用し、連結枠６０全体を手前に引っ張る作用を発揮する。
【００３２】
これにより、各第２収容部２１ａ、２１ｂ、２１ｃに収容されているハードディスクドライブ装置Ｈの、接続部２３との接続が解除され、手前側（Ｙ軸正方向）に押し出される。接続部２３の接続は固い場合には、接続が解除されたハードディスクドライブ装置Ｈが手前側に押し出される際の移動速度が速くなり、第２収容部２１ａ、２１ｂ、２１ｃから飛び出る恐れがあるが、この場合には、ストッパー部材６２の受け部６２２によって、動きが規制される。受け部６２２は手前に移動しつつ、ハードディスクドライブ装置Ｈを受け止めるため、衝撃を抑制しつつハードディスクドライブ装置Ｈの飛び出しを規制することができ、取り外す際にハードディスクドライブ装置Ｈに加わる衝撃を緩和することができる。
【００３３】
また、離脱部材６１が元の位置に復帰した場合、受け部６２２は、ハードディスクドライブ装置Ｈの移動領域から退避し（ハードディスクドライブ装置Ｈの底面（弾性材２２３の支持面（上面））よりも下側に後退する）、ハードディスクドライブ装置Ｈを第２収容部２１内に収める作業を妨げない姿勢となる。
【００３４】
次に、図６〜８に基づいて、第１トレー３について説明する。図６は、第２トレー２を交換時姿勢とした状態における本発明の接続装置１を示す正面斜視図、図７は、支持部材３４の全体斜視図、図８は、第１トレー３の全体平面図である。第１トレー３は、底板４４上にレール４４１、４４１を介して前後方向（Ｙ軸方向）スライド自在に設けられている。第１トレー３には、板状の基板３０と、基板３０上に配置固定された第１収容部３１ａ、３１ｂ、３１ｃとを備えている。上記レール４４１は、基板３０の底面と、これに対向する底板４４の上面との間に設けられており、基板３０の底面と底板４４の上面にそれぞれ固定されたレール片は、その間に介挿されたベアリングによって、前後方向（Ｙ軸方向）に滑らかに相対移動可能に構成されている。基板３０を前後に移動させることによって、３つの第１収容部３１ａ、３１ｂ、３１ｃが一体として移動する。
【００３５】
第１収容部３１ａについて説明する。各第１収容部３１ａ、３１ｂ、３１ｃは同一の構成であるので、他の第１収容部３１ｂ、３１ｃの構成は、説明を省略する。
【００３６】
第１収容部３１ａは、板状の底部材３２０ａと、その周端片に沿って設けられた枠体３２ａとを備えている。該底部材３２０ａと枠体３２ａとによって、第１収容部３１ａが画成される。第１収容部３１ａの背面側端には、本体１１に固定された取付板４６が対向して設けられている。この取付板４６には、各第１収容部３１ａ、３１ｂ、３１ｃに対応する位置に、接続端子を備えた第１受け側接続部としての接続部３３を支持する支持部材３４が、各取り付けられている。図７に示されているように、支持部材３４は、中央に接続部３３を保持する取付孔３４１を有し、取付孔３４１の形成された中央部分３４０が突出するように、上下端部はクランク状に屈曲した形状に構成され、屈曲端は、取付板４６側に支持されるための支持部３４２、３４２となっている。また、中央部分３４０は、取付板４６に形成された矩形の開口４６１に、背面側から挿入されて正面側に突出する。
【００３７】
支持部３４２、３４２の角部は、円弧状の切欠３４３を有している。該各切欠３４３には、該円弧に沿った外周形状を有する円輪状の弾性体３５２が収容されている。また、弾性体３５２の中心孔には、ピン３５１が挿通し、ピン３５１は、中心を挿通するネジ３５３によって取付板４６に固定されている。
【００３８】
このような構成によって、支持部材３４は、弾性体３５２を介して取付板４６に支持されることとなる。つまり、支持部材３４は、接続部３３とハードディスクドライブ装置Ｈ２との挿脱方向へは固定され、該挿脱方向に垂直に交わる平面に含まれるベクトルへは、弾性体３５２の変形可能な範囲内で、移動可能に構成されている。即ち、取付板４６の平面方向へは、弾性体３５２の変形可能な範囲内で、接続部３３の位置を移動させ得る構成である。
【００３９】
このような構成とすることにより、ハードディスクドライブ装置Ｈ２の接続端子の位置が、機種に応じて微妙に違っている場合に、ハードディスクドライブ装置Ｈ２の接続端子と、接続部３３の接続端子を接続させる場合において、ハードディスクドライブ装置Ｈ２の接続端子の位置に応じて、接続が可能となるように、接続部３３が接合位置に位置変更しつつ接続端子同士の接合が行われる。
【００４０】
これは、接続端子は、電気的な接続をおこなう通電端子部と、該通電端子が固定され、機械的な接続を維持し、通電端子部の電気的な通電を確保する接続嵌合部とを備えるが、この接続嵌合部同士が、相互に接続方向へ移動する際に、相互に滑りつつ位置修正を行い、最終的に通電端子部が接続可能な位置に修正されている。
【００４１】
支持部材３４の支持構造は、このような接続部３３の位置修正が可能となるように、２ｍｍ以内の範囲で、移動可能となるように構成されている。なお、ハードディスクドライブ装置Ｈ２を取り外した際には、弾性体３５２の復元力によって、接続部３３は元の基準位置（取付孔３４１の中央位置）に戻される。
【００４２】
板状の基板３０の下側には、位置決め手段と、緩衝手段が設けられている。基板３０の背面側端と、正面側端には、それぞれ下側に折り曲げられたフランジ部３０１、３０２が設けられている。背面側のフランジ部３０１の背面側には、位置決め手段の一部を構成する接合凸部７１２が背面方向（Ｙ軸負方向）へ向けて突設され、ており、この接合凸部７１２に対向する位置には、接合凹部７１１が底板４４上に固定されている。第１トレー３が、収容しているハードディスクドライブ装置Ｈ２が接続部３３に接続されている位置（接続位置）にある場合に、接合凸部７１２と接合凹部７１１が係合し、第１トレー３は接続位置に固定される。接合凹部７１２は、開口が開く方向に弾性変形可能に構成され、所定以上の力を加えることで、接合凸部７１２と接合凹部７１１とを、接合させ、又は離脱させることができる構成となっている。
【００４３】
また、フランジ部３０１の正面側の側面にも、係合凸部７２１が設けられ、係合凸部７２１に対向する位置には、係合凹部７２２が底板４４上に固定されている。係合凸部７２１の先端は、係合凹部７２２の凹部７２３に係合し、この状態で、第１トレー３は、接続部３３からハードディスクドライブ装置Ｈ２側接続部が引き抜かれた離脱位置となる。係合凸部７２１と係合凸部７２１は導電性を有する材質で構成されており、両者が係合している状態で、第１トレー３から本体１１に、ハードディスクドライブ装置Ｈ２に帯電している静電気が流れる（アースされる）構成となっている。このように、ハードディスクドライブ装置Ｈ２が接続部３３に接続される前に、静電気が除かれる構成となっているので、接続時に、接続端子から回路に静電気が流れ、接続される電子機器や、ハードディスクドライブ装置Ｈ２に悪影響を与えるといったトラブルが抑制される。また、接合凹部７１１や接合凸部７１２を電気絶縁材料で構成することにより、ハードディスクドライブ装置Ｈ２と接続部３３を接合した状態では、外部との通電を不能とする構成としてもよい。このように、帯電した静電気により記録装置の内部回路に悪影響与える等の不都合が抑制される。内部の電子回路が外側に露出するハードディスクドライブ装置においては、特に有用である。このような接合凸部７１２と接合凹部７１１、及び係合凸部７２１と係合凸部７２１によって、位置決め手段が構成される。
【００４４】
また、底板４４は、矩形の孔４４２、４４２を有しており、孔４４２の正面側縁部と、前記フランジ部３０１の間には、スプリング７３が張設されている。スプリング７３は、第１トレー３の移動に伴って伸縮し、第１トレー３が接続位置にあるとき、最も伸びだ状態となり、離脱位置にあるとき最も縮んだ状態となる。そして、第１トレー３が接続位置にあるとき、第１トレー３を離脱位置へ向けて付勢する。また、この場合の付勢力は、接合凹部７１１と接合凸部７１２との接合を解除する程の強さはない。正面側のフランジ部３０２には、取っ手３０３が設けられている。接続位置にある第１トレー３は、取っ手３０３を介して正面側（Ｙ軸正方向）へ引っ張ることで、接合凹部７１１と接合凸部７１２との接合が解除される。取っ手３０３を介して、第１トレー３を進退させることにより、第１トレー３上に収納された複数の（本実施形態では３つ）ハードディスクドライブ装置Ｈ２は、同時に接続端子の接合と離脱を行うことができ、作業効率が向上する。
【００４５】
また、第１トレー３を押し込んで（Ｙ軸負方向へ進めて）、接続部３３と、ハードディスクドライブ装置Ｈ２の接続部Ｈ２ｓを接合させる場合には、接続部３３を保持する支持部材３４は、図１０に示されているように、以下のような作用を有する。図１０（ａ）に示されているように、ハードディスクドライブ装置Ｈ２が接続方向（Ｙ軸負方向）へ（接続位置へ向けて）押し込まれた際に、接続部３３の位置と、ハードディスクドライブ装置Ｈ２の接続部Ｈ２ｓの位置が適正に対向する位置でなく、左右（Ｚ軸方向）、上下（Ｘ軸方向）に若干外れている場合がある。このような場合に、両接続部３３、Ｈ２ｓの接触によって、開口内側のテーパーや挿入片外側のテーパー、或は、接続端子Ｈ２ｔ、３３ｔが付設されている接続プレートＨ２ｐ、３３ｐの端片、端部に形成されたテーパーなどの接触によって、接続端子同士が適正に接続できる位置へ向かうように、接続部３３に対して外力が加わる（図１０（ａ）中の横方向（Ｚ軸正方向）の矢印）。
【００４６】
この際、弾性体３５２が変形し、接続部３３が適正な接続位置となるよう、支持部材３４が移動する。最終的に、図１０（ｂ）に示されているように、接続部３３は適正な接続位置に移動し、接続端子Ｈ２ｔ、３３ｔが物理的に接続され、電気的な接続が完了する。このように、接続操作時に、接続部３３が微小な範囲で、移動可能に構成されているので、複数のハードディスクドライブ装置Ｈ２を、一体として同時に接続する場合に、各ハードディスクドライブ装置Ｈ２毎に、接続部３３の位置を微調整するといった手間が省け、作業効率が向上する。
【００４７】
一方、接合凹部７１１と接合凸部７１２との接合が解除されると、第１トレー３は、スプリング７３の付勢力によってＹ軸正方向へ押し出されるが、載置されているハードディスクドライブ装置Ｈ２への衝撃を緩和するため、第１トレー３の移動速度を緩和する緩衝手段が設けられている。
【００４８】
底板４４には、レール４４１に沿って、ラック７４１が設けられ、基板３０の下側面には、ラック７４１に噛み合うピニオン７４２が支持されている。ピニオン７４２は、第１トレー３０の移動とともに、ラック７４１と噛み合いながら転動する。ピニオン７４２には、回転に一定の抵抗が加わえられた構成となっており、スプリング７３の付勢力に抗して、第１トレー３０の移動に抵抗を加えるように構成されている。これにより、接合凹部７１１と接合凸部７１２との接合が解除された第１トレー３は、スプリング７３の付勢力により緩やかに移動し、第１トレー３の急速な移動によってハードディスクドライブ装置Ｈ２に加わる衝撃を緩和する。
【００４９】
なお、上記実施形態では、弾性部材２３５や弾性体３５２は、圧縮変形する弾性材料を用いたが、図１１に示されているように、スプリングや湾曲変形する板バネや等を、用いてもよい。図１１に示す構成例では、支持部材３４Ａと、取付板４６Ａの間には、４つのスプリング３５２Ａが架設されている。スプリング３５２Ａの一端は、支持部材３４Ａの支持部３４２Ａ、３４２Ａの角部にそれぞれ接続され、一対の支持部３４２Ａ、３４２Ａの角部を結ぶ対角線に沿う方向にスプリング３５２Ａが位置している。各スプリング３５２Ａの他端は、取付板４６Ａに設けられたピン４６３Ａにそれぞれ接続される。各スプリング３５２Ａは、張力によって、支持部材３４Ａを引っ張り、各スプリング３５２Ａから加わる張力の釣り合いによって、支持部材３４Ａは、基準位置に支持されている。また、ピン３５１Ａは、支持部３４２Ａ、３４２Ａの中央部に形成された孔３４３Ａを挿通し、取付板４６Ａ側に固定される。孔３４３Ａは、ピン３５１Ａの径よりも大径に形成されており、この孔３４３Ａの範囲内で、支持部材３４Ａは、移動可能に構成されている。また、ピン３５１Ａのヘッド部分は、孔３４３Ａの径よりも大径に構成されており、支持部材３４Ａは、接続部３３の挿脱方向へは移動不能に構成されている。
【００５０】
このような構成とすることで、支持部材３４Ａは、取付板４６Ａの側面に平行な方向に移動可能に支持され、接続部３３の挿入時には、左右上下方向に微動することで、接続を容易かつ円滑に行うことが可能となる。なお、スプリング３５２Ａは、伸張スプリングでなく、圧縮スプリングでもよく、あるいは、湾曲した板バネをピン４６３Ａと支持部３４２Ａ、３４２Ａの角部との間に介挿しても同様の作用を得ることができる。
【図面の簡単な説明】
【００５１】
【図１】本発明の記録装置の接続装置を示す全体斜視図である。
【図２】本発明の記録装置の接続装置を示す全体側面図である。
【図３】収容部の部分拡大斜視図である。
【図４】接続部の支持構造を示す分解斜視図である。
【図５】第２トレーの側面図である。
【図６】本発明の記録装置の接続装置（交換時姿勢）を示す全体正面図である。
【図７】支持部材の支持構造を示す分解斜視図である。
【図８】第１トレーの全体平面図である。
【図９】第２トレーにおける、本体側接続部に記録装置側接続部を接続する際の本体側接続部の動きを示す平面断面図である。
【図１０】第１トレーにおける、本体側接続部に記録装置側接続部を接続する際の本体側接続部の動きを示す平面断面図である。
【図１１】他の構成例を示す支持部材の支持構造を示す斜視図である。
【符号の説明】
【００５２】
１    接続装置
１１  本体
２    第２トレー
２１  第２収容部
３    第１トレー
３１  第１収容部
【図１】
2007048415.tif 000003
【図２】
2007048415.tif 000004
【図３】
2007048415.tif 000005
【図４】
2007048415.tif 000006
【図５】
2007048415.tif 000007
【図６】
2007048415.tif 000008
【図７】
2007048415.tif 000009
【図８】
2007048415.tif 000010
【図９】
2007048415.tif 000011
【図１０】
2007048415.tif 000012
【図１１】
2007048415.tif 000013